(57)【要約】【課題】電子部品パッケージを薄型化することを目的とする。【解決手段】電子部品パッケージの構造を、基板６と、この基板６の上面側に形成された突起電極７と、この突起電極７を介して基板６に実装された電子部品８と、基板６上においてこの電子部品８の外周を被覆した樹脂製保護体９とを備え、前記電子部品８の上面は研磨面であり下面は機能面としたことにより、樹脂製保護体９及び電子部品８の上部を十分研磨できるため、電子部品パッケージの薄型化が達成できる。【選択図】図１
2007096047.tif 000002
【特許請求の範囲】
【請求項１】
基板と、この基板の上面側に形成された突起電極と、この突起電極を介して前記基板上に実装された電子部品と、前記基板上においてこの電子部品の外周を被覆した樹脂製保護体とを備え、前記電子部品の上面は研磨面であり、下面は機能面とした電子部品パッケージ。
【請求項２】
前記基板の上面と電子部品の下面との間には、空間を有する請求項１に記載の電子部品パッケージ。
【請求項３】
前記樹脂製保護体の上端部には、外方に向けて下方に下がる湾曲を有する請求項１、または２に記載の電子部品パッケージ。
【請求項４】
基板上に突起電極を配置し、次にこの突起電極上に、機能面を下に向けて電子部品を実装し、その後この電子部品の上面と外周とを被覆する樹脂製保護体を、前記基板上に形成し、次にこの樹脂製保護体の上面及び前記電子部品の上面とを研磨することを特徴とする電子部品パッケージの製造方法。
【請求項５】
基板上には複数の電子部品が実装され、樹脂製保護体及び電子部品を研磨後、前記複数の電子部品間で基板と樹脂製保護体とを完全に切断し、電子部品を個片化することを特徴とする請求項４に記載の電子部品パッケージの製造方法。
【請求項６】
突起電極上に電子部品を実装後、この電子部品の上に平面板を配置するとともに、突起電極を溶融させることを特徴とする請求項４または５に記載の電子部品パッケージの製造方法。
【請求項７】
基板と前記平面板との間にスペーサーを配置することを特徴とする請求項６に記載の電子部品パッケージの製造方法。
【発明の詳細な説明】
【技術分野】
【０００１】
本発明は電子部品パッケージとその製造方法に関するものである。
【背景技術】
【０００２】
従来の電子部品パッケージは、図８に示すように、基板１と、この基板１上に実装された電子部品２と、この電子部品２を基板１と接続する金ワイヤ３と、この金ワイヤ３及び電子部品２の周囲全体を被覆した樹脂製保護体４とを有する。そして樹脂製保護体４の上部は電子部品パッケージの厚みを制御する為に研磨装置５で研磨されている。なお、この出願発明に関する先行技術文献としては、例えば特許文献１が知られている。
【特許文献１】特開２００５−１１７０６５号公報
【発明の開示】
【発明が解決しようとする課題】
【０００３】
しかしながら、前記従来の電子部品パッケージでは、薄型化が行えないという問題があった。
【０００４】
それは、研磨装置５で樹脂製保護体４の上部を削る場合に、電子部品２の上面に金ワイヤ３が接続されているので、この金ワイヤ３の断線を避けようとすると、樹脂製保護体４をそれほど下方まで削ることができず、この結果として薄型化が行えないのであった。
【０００５】
そこで本発明は、電子部品パッケージを薄型化することを目的としたものである。
【課題を解決するための手段】
【０００６】
そしてこの目的を達成するために、本発明は、基板と、この基板の上面側に形成された突起電極と、この突起電極を介して基板に実装された電子部品と、基板上においてこの電子部品の外周を被覆した樹脂製保護体とを備え、前記電子部品の上面は研磨面であり下面は機能面とした。
【発明の効果】
【０００７】
上記構成によれば、基板と電子部品とを、金ワイヤを用いず突起電極で接続しているため、電子部品上面を露出させるまで樹脂製保護体を研磨でき、さらに電子部品自体の上部も研磨できる。したがって、電子部品パッケージをより薄型化できる。
【発明を実施するための最良の形態】
【０００８】
以下本発明を実施するための最良の形態について、図面を参照しながら説明する。
【０００９】
（実施の形態１）
以下、本発明に係る実施の形態１について図１を用いて説明する。図１は本発明を実施するための最良の形態に係る電子部品パッケージの断面図である。
【００１０】
電子部品パッケージは、基板６と、この基板６の上面に形成された突起電極７と、この突起電極７を介して基板６上に実装された電子部品８と、前記基板６上において電子部品８の外周を被覆した樹脂製保護体９とから構成されている。
【００１１】
突起電極７との接続面として、基板６上面にはランド１０、電子部品８の下面にはパッド１１がある。
【００１２】
電子部品８は機能面を下面とし、研磨面を上面とする。ここで、電子部品８をＳＡＷ素子とするならば、くし形電極が形成されている面が前記機能面となる。なお、上記電子部品パッケージの構造は、研磨後の状態を表したものであるから、外周を被覆する樹脂製保護体９の外周とは、電子部品パッケージの側面を意味し、上面を含まないものとする。
【００１３】
図１の上方向は矢印Ａの方向である。
【００１４】
以下、実施の形態１の電子部品パッケージの製法を、工程を追って説明する。
【００１５】
図３（ａ）は基板６上に、ダイシングした電子部品８としてのＳＡＷ素子を位置決めして配置した状態を示すものである。また、基板６の上面に複数の区画を設け、この各区画内にランド１０を設けてフラックス（図示せず）を塗布し、このランド１０の上にはんだ製の突起電極７を配置する。次に、この突起電極７の上部にフラックスを塗布し、機能面を下向きにしたＳＡＷ素子を実装する。フラックスには粘着性があるため、突起電極７上にＳＡＷ素子を保持させることができる。本実施の形態では、１区画につき１個のＳＡＷ素子を配置しているが、１区画につき複数のＳＡＷ素子を配置する場合も同様の工程である。
【００１６】
その後、図３（ａ）の突起電極７を加熱し溶融してから冷却すると、基板６とＳＡＷ素子とが接続した状態で凝固する。次にフラックスを洗浄すると図３（ｂ）の状態となる。フラックスを除去する必要があるのは、ＳＡＷ素子のアルミ材等の電極の腐食や電気特性変化等の悪影響を防ぐためである。
【００１７】
次に、図３（ｂ）のＳＡＷ素子の上面及び隣接するＳＡＷ素子間の隙間に高粘度液状のエポキシ樹脂をスクリーン印刷法で塗布及び充填し、硬化させ、樹脂製保護体９とすると図３（ｃ）の状態となる。この樹脂は熱硬化性のものであり、充填後加熱し完全に硬化させた。
【００１８】
さらに、図３（ｃ）の樹脂製保護体９の上面側から砥石などで研磨し、その後露出したＳＡＷ素子の上面も研磨して、電子部品パッケージを極限まで薄型化すると図３（ｄ）の状態となる。本実施形態では、ＳＡＷ素子（電子部品８）の厚みが７０μｍになるまで研磨した。この研磨工程については、一つの電子部品８を個々に行うこともできるが、一枚の基板６に実装された複数の電子部品８を同時に研磨する方法の方が作業効率の面から好ましい。
【００１９】
最後に、図４（ａ）に、ＳＡＷ素子間の樹脂製保護体９及び基板６を切断し個片化する工程を示した。ダイシングブレード１２を用いて、樹脂製保護体９から基板６を含む全厚みを完全切断した。この結果、図４（ｂ）に示す、個片化された電子部品パッケージが得られる。
【００２０】
この製法では、ＳＡＷ素子と基板６とを突起電極７で接続していることから、従来のように金ワイヤ３が研磨の障害となることがない。またＳＡＷ素子の機能面を下に向けていることから、樹脂製保護体９だけでなくＳＡＷ素子自体の上面も研磨することが出来るため、電子部品パッケージの厚みをより薄くすることが出来る。また、ＳＡＷ素子を基板６に実装後研磨するため、実装時には電子部品８にある程度の厚みを持たせることが出来、割れを防止し、作業性を向上させることが出来る。
【００２１】
さらに本実施形態では、樹脂製保護体９が各ＳＡＷ素子の隙間に充填されているため、研磨時に突起電極７に印加される応力を樹脂製保護体９にも分散させることができ、突起電極７への負荷を軽減できる。これによって突起電極７が基板６から外れることなく、安定した研磨を行うことが出来る。また本実施の形態の電子部品パッケージを個片化する工程においては、樹脂部分を切断するため、ＳＡＷ素子に負荷がほとんどかからず、ＳＡＷ素子の信頼性を損なわない。
【００２２】
また、本実施の形態では樹脂製保護体９として高粘度液状の樹脂を使用したが、これに限定するものではなく、例えばさらに高粘度で常温では固体状の樹脂等も適切な工法で充填出来れば使用可能であり、また材質もエポキシ樹脂に限定するものではない。樹脂製保護体９の塗布・充填方法についても、スクリーン印刷に限定するものではなく、ディスペンサー塗布や手塗りなどでもよい。さらに樹脂製保護体９の硬化方法も、紫外線硬化方法や熱硬化方法など、使用する樹脂の物性に適した方法であればよい。
【００２３】
（実施の形態２）
以下、本発明に係る実施の形態２について図５と図７を用いて説明する。実施の形態２における実施の形態１との違いは、図５（ｂ）で示すような、研磨後のＳＡＷ素子の厚みを一定にする工程を有していることである。なお、ＳＡＷ素子の実装までは実施の形態１と同様であるのでその説明は簡略する。
【００２４】
図７（ａ）は、図５（ａ）の本発明実施形態と比較するために用いたものであり、基板６にＳＡＷ素子を実装した直後の状態である。突起電極７をはんだ製とすると、最もはんだ量が多い突起電極７に接続したＳＡＷ素子１３と、最もはんだ量が少ない突起電極７に接続したＳＡＷ素子１４の高さには差が生じている。一般的に行われるはんだペースト印刷による突起電極７であれば、最高と最低の高さの差が２０μｍ程度になることもある。電子部品８の研磨工程においては、薄く研磨しすぎると電子部品８が割れるため、最低限の厚みを設定しそれを目標に研磨するが、最もはんだ高さが高い電子部品８が最も薄く研磨されるため、一般に、その最も高い電子部品８によって研磨量を制限する。そのため、必要以上に電子部品８の厚みが大きいものが存在することになり、最大限の薄型化効果が得られないという問題がある。
【００２５】
例えば図７（ｂ）に研磨後のＳＡＷ素子を示す。ＳＡＷ素子１４の厚みは十分にあり、さらに研磨できる余裕があるが、最も高いＳＡＷ素子１３はすでに十二分に研磨されており、これ以上研磨することはできない。よって、これ以上の研磨は行えず、結果として十分に薄型にすることが出来ないという問題がある。
【００２６】
しかし、本実施の形態２では、図５（ｂ）に示すように、ＳＡＷ素子１３、１４上に平面板１５を基板６に平行に設置し、かつ平面板１５でＳＡＷ素子１３、１４上面を加圧した状態ではんだの溶融・硬化を行うため、大、小の突起電極７が若干つぶれてその高さが低い状態で一定となり、その結果高低の各ＳＡＷ素子１３、１４の上面が平面板１５に沿う。そのため、図５（ｃ）に示すように、はんだ凝固後の各ＳＡＷ素子１３、１４の基板６からの高さが一定となる。これにより各ＳＡＷ素子１３、１４の研磨量の限界がほぼ同量になるため、いずれのＳＡＷ素子１３、１４も限界まで薄く研磨することが出来、薄型化が達成できる。
【００２７】
なお、平面板１５を基板６に平行に設置する方法の一例として、図６に示すように、基板６上に同じ高さのスペーサー材１６を配置した後平面板１５を乗せて、ＳＡＷ素子１３、１４と基板６間との厚みを一定にする方法が挙げられる。
【００２８】
また、本実施形態ではんだ製の突起電極７を使用している理由は、加圧した状態で突起電極７を基板６に接続する際、圧力に応じて溶融するものが好ましいためであるが、適当な接続方法を用いれば、例えば金製のものを使用してもよい。
【００２９】
（実施の形態３）
以下、本発明に係る実施の形態３について説明する。
【００３０】
実施の形態３では、実施の形態１における図３（ｃ）で示す樹脂製保護体９を充填する工程において、周囲気圧を低下させ、樹脂粘度を制御することで、ＳＡＷ素子と基板６間における樹脂製保護体９の回り込み量を制御した。これにより、ＳＡＷ素子の機能領域に樹脂が接触するのを防ぐことが出来るため、ＳＡＷ素子以外にも素子表面を樹脂で覆うと特性が変化する電子部品にも応用することが出来る。
【００３１】
なお樹脂製保護体９は少なくともＳＡＷ素子側面より外側に中空領域が無いようにすることが望ましい。ＳＡＷ素子側面より外側に中空領域が広がっている場合、図４（ａ）のダイシング工程において、中空領域を切断する場合が生じ、その結果、外部からＳＡＷ素子の機能領域まで汚染物質や異物が入り込み、著しく信頼性を損なう恐れがある。そのため、安全性を考慮し、樹脂製保護体９はＳＡＷ素子と基板６間へ若干回り込むように充填条件を制御することが望ましい。
【００３２】
（実施の形態４）
実施の形態４では、実施の形態１における図４（ｂ）で示すＳＡＷ素子及び基板６を切断し個片化する工程の後、図２に示すように樹脂製保護体９の上端部を外方に向けて下方に下がる湾曲になるように研磨し、電子部品パッケージの信頼性をさらに向上させた。
【００３３】
従来、個片化した電子部品をさらに他の基板に実装する場合、隣接する素子に接触し、薄型化した電子部品が割れるなどの問題があった。しかし、実施の形態１に記載した電子部品パッケージでは、ＳＡＷ素子の側面を樹脂製保護体９で被覆していることから、側面からの応力に対する強度が増すという効果が得られる。本実施の形態４に記載の電子部品パッケージでは、この樹脂製保護体９の角を湾曲にすることで、応力が分散され、さらに強度が増すものである。
【産業上の利用可能性】
【００３４】
本発明にかかる電子部品パッケージ及びその製造方法は、電子部品パッケージの薄型化が達成できるため、電子機器の一層の薄型化に大いに利用できるものである。
【図面の簡単な説明】
【００３５】
【図１】本発明の実施の形態１における電子部品パッケージの断面図
【図２】本発明の実施の形態４における電子部品パッケージの断面図
【図３】（ａ）〜（ｄ）本発明の実施の形態１における電子部品パッケージの製造工程を示す断面図
【図４】（ａ）、（ｂ）本発明の実施の形態１における電子部品パッケージの製造工程を示す断面図
【図５】本発明の実施の形態２における平面板を用いた電子部品の実装工程を示す断面図
【図６】本発明の実施の形態２におけるスペーサーを用いた電子部品の実装工程を説明する断面図
【図７】平面板を用いない場合の電子部品の実装工程を示す断面図
【図８】研磨工程における従来の電子部品パッケージの断面図
【符号の説明】
【００３６】
６  基板
７  突起電極
８  電子部品
９  樹脂製保護体
１３  ＳＡＷ素子
１４  ＳＡＷ素子
【図１】
2007096047.tif 000003
【図２】
2007096047.tif 000004
【図３】
2007096047.tif 000005
【図４】
2007096047.tif 000006
【図５】
2007096047.tif 000007
【図６】
2007096047.tif 000008
【図７】
2007096047.tif 000009
【図８】
2007096047.tif 000010